(57)【特許請求の範囲】
【請求項１】
コンクリート壁に打ち込まれた水平アンカーと、コンクリート壁に対し隙間を設けて水平アンカーに固定された、表面に補強リブを形成した補強鋼板と、コンクリート壁と補強鋼板の隙間に充填形成された充填層とにより構成された補強構造において、
補強鋼板に形成した挿通孔を貫通した水平アンカーの突端部にナットを螺嵌して、水平アンカーに補強鋼板を固定し、該補強鋼板の表面側に外装層を形成したことを特徴とするコンクリート壁の補強構造。
【請求項２】
外装層に補強材を埋設したことを特徴とする請求項１記載のコンクリート壁の補強構造。
【請求項３】
補強鋼板の上下側及び左右側に固定リブを設け、コンクリート壁における梁の突出部の上下面に垂直アンカーを、柱の突出部の側面に水平アンカーを夫々打ち込み、上記垂直アンカー及び水平アンカーに、対応する固定リブを固定したことを特徴とする請求項１又は２記載のコンクリート壁の補強構造。
【請求項４】
補強鋼板の上下側に固定リブを設け、垂直アンカーを躯体側の床スラブを貫通させる様に打ち込んで、その上下端部に上下方の固定リブを固定したことを特徴とする請求項１又は２記載のコンクリート壁の補強構造。
【発明の詳細な説明】
【０００１】
【発明の属する技術分野】
本発明は、鉄筋コンクリート造、鉄骨鉄筋コンクリート造の建物の壁の補強構造に関する。
【０００２】
【従来の技術】
従来のコンクリート壁の補強工法にあっては、既存の鉄筋コンクリート造、鉄骨鉄筋コンクリート造の建物の壁にアンカーを打ち込み、コンクリート壁の表面に隙間を設けて鉄板を上記アンカーでボルト止めし、壁と鉄板の間にモルタルを充填することで、地震入力を受けたときの繰返し変形による強度剛性の劣化を防止し、即ち鉄板によってコンクリート壁の復元力の安定と粘りを確保出来る様にしたものであった。
【０００３】
【発明が解決しようとする課題】
しかし、上記工法で使用される補強材は単なる鉄板であるために座屈降伏し易く、そうなると鉄板自体の耐力が失われてしまうため、補強効果が無くなって補強構造が無力化してしまう等解決せねばならない課題があった。
【０００４】
【課題を解決するための手段】
本発明は、上記従来技術に基づく、単なる鉄板では座屈降伏し易い課題に鑑み、補強鋼板の表面に補強リブを形成したことによって、リブで補強鋼板を補強することで該補強鋼板の座屈降伏を防止する様にして、上記課題を解決する。
更に、補強鋼板に形成した挿通孔を貫通した水平アンカーの突端部にナットを螺嵌して、水平アンカーに補強鋼板を固定し、該補強鋼板の表面側に、モルタルの様な外装材を塗布したり、吹き付けたり、型枠を組んで補強鋼板と型枠間に外装材を打ち込んで外装層を形成すれば，補強鋼板がコンクリート壁側に押圧されて、補強鋼板の座屈降伏機能が更に向上する。
【０００５】
【発明の実施の形態】
以下本発明の一実施例を図面に基づいて説明する。
図１は補強されたコンクリート壁の正面図、図２は図１の水平断面の要部拡大図、図３は図１の垂直断面の要部拡大図、図４は図３の要部拡大図、図５は図３の要部拡大図、図６は補強された、梁及び柱が突出した壁の正面図、図７は図６の水平断面の要部拡大図、図８は図６の垂直断面の要部拡大図である。
【０００６】
図１〜図８に示す様に、既設のコンクリート壁Ｗの補強構造１にあっては、コンクリート壁Ｗに打ち込まれた水平アンカー２、2a…と、コンクリート壁Ｗの表面に対し隙間を設けて水平アンカー２、2a…に固定された補強鋼板３、3a…と、コンクリート壁Ｗと補強鋼板３、3a…の間にモルタル等の流動性を有した充填材により形成された充填層４と、補強鋼板３、3a…の外側にモルタル等の仕上げ材を塗布して形成された外装層５により構成されている。
【０００７】
補強鋼板３、3a…にあっては、矩形状の基板６に水平アンカー２、2a…の挿通孔７、7a…を形成し、基板６の外周部に板状の固定リブ８、8a、９、9aを、基板６に対し垂直に設けると共に、基板６の表面の縦横方向に、固定リブ８、8a、９、9aより低い複数の補強リブ10、10a …を所定間隔毎に並設している。
そして、挿通孔７、7a…を貫通して突出した水平アンカー２、2a…にナット11、11a …を螺嵌することで、コンクリート壁Ｗに対し補強鋼板３、3a…を固定する様にしている。
上下方の固定リブ８、8aに挿通孔12、12a …が形成されており、該挿通孔12、12a …を貫通して突出した、躯体側、具体的には床スラブＳに打ち込まれた垂直アンカー13、13a …にナット14a 、14a …を螺嵌することで、床スラブＳに対しても補強鋼板３、3a…を固定する様にしている。
尚、２階以上のコンクリート壁Ｗに固定された補強鋼板３、3a…にあっては、床スラブＳを貫通する様に打ち込まれた垂直アンカー13、13a …の上下端部に、隣接する上下階の補強鋼板３、3a…の固定リブ８、8aを固定しても良い。
両側方の固定リブ９、9aに挿通孔15、15a …が形成されており、隣接する補強鋼板３、3a…における両側部の固定リブ９、9aの合致した挿通孔15、15a …にボルト16、16a …を挿通すると共に、該ボルト16、16a …にナット17、17a …を螺嵌することで、隣接する補強鋼板３、3a…同志を固定する様にしている。
【０００８】
充填層４及び外装層５にあっては、例えばモルタルの様な流動性を有すると共に経時固化し、且つ固化後にある程度の強度を有する材料により形成されている。
後者の外装層５にあっては、補強リブ10、10a …に溶接固定された、配筋された鉄筋、金網等の補強材20を埋設する様に形成するのが望ましい。
【０００９】
又、図６〜８に示す様な、梁Ｂ及び柱Ｐが突出したコンクリート壁Ｗにあっては、梁Ｂの突出部の上下面にも垂直アンカー13、13a …を、柱Ｐの突出部の側面にも水平アンカー２、2a…を夫々打ち込んで、該垂直アンカー13、13a …及び水平アンカー２、2a…に、対応する上下方及び両側方の固定リブ８、8a、９、9aを固定する様にしている。
【００１０】
尚、図面上、補強対象のコンクリート壁にあっては、外側に廊下の様な床スラブが突出した状態の壁であるが、面一状の単なる外壁面であっても良く、又コンクリート壁に開口部が形成されているが、当然のこととして開口部の無いコンクリート壁も補強可能にしている。
【００１１】
次に本発明に係るコンクリート壁の補強工法について説明する。
（１）コンクリート壁Ｗに水平アンカー２、2a…を打ち込む。
（２）挿通孔７、7a…に水平アンカー２、2a…を通して補強鋼板３、3a…を、コンクリート壁Ｗとの間に隙間を空けて設置すると共に、水平アンカー２、2a…の突端部にナット11、11a …を螺嵌する。
（３）コンクリート壁Ｗと補強鋼板３、3a…の隙間に充填材を充填する。
（４）充填材の養生固化後、ナット11、11a …を締める。
（５）補強リブ10、10a …に、配筋された鉄筋、金網等の補強材20を溶接固定した後、補強鋼板３、3a…の外側にモルタル等の仕上げ材を塗布したり、吹き付けたり、型枠を組んで補強鋼板と型枠間に外装材を打ち込んで外装層５を形成する。
【００１２】
【発明の効果】
要するに本発明は、補強鋼板３、3a…の表面に補強リブ10、10a …を形成したので、補強鋼板３、3a…の強度の向上を図ることが出来るため、地震力による補強鋼板３、3a…の座屈降伏を防止することが出来、よって補強された建物の崩壊を防止することが出来る。
同時に、補強鋼板３、3a…に形成した挿通孔７、7a…を貫通した水平アンカー２、2a…の突端部にナット11、11a …を螺嵌して、水平アンカー２、2a…に補強鋼板３、3a…を固定し、該補強鋼板３、3a…の表面に外装層５を形成したので、ナット11、11a …が補強鋼板３、3a…に対し一体化することで、補強鋼板３、3a…とコンクリート壁Ｗの一体性が向上するため、地震力が作用してもナット11、11a …が補強鋼板３、3a…から離間せず、補強機能を常時作用させることが出来、更に外装層５により補強鋼板３、3a…がコンクリート壁Ｗ側に押圧されて、補強鋼板３、3a…の座屈降伏機能が更に向上するため、完全な地震対策を講じることが出来る。
又、金属である補強鋼板３、3a…が露出状態では見栄えが悪く、違和感を感じてしまうが、補強鋼板３、3a…の表面に外装層５を形成したので、見た目上、コンクリート壁Ｗと差異がなくなるため、違和感を無くすことが出来、而も補強鋼板３、3a…の表面が凹凸状になって外装層５が馴染み易くなる、即ち補強鋼板３、3a…に対する外装層５の一体性が向上するため、外装層５の剥落を防止することが出来る。
【００１３】
又、外装層５に、補強鋼板３、3a…の補強リブ10、10a …に固定された補強材20を埋設したので、外装層５自体の強度を向上させることが出来る、よって地震力の作用による外装層５のひび割れ、延いては外装層５の崩落を防止することが出来る。
【００１４】
又、補強鋼板３、3a…の上下側及び左右側に固定リブ８、8a、９、9aを設け、コンクリート壁Ｗにおける梁Ｂの突出部の上下面に垂直アンカー13、13a …を、柱Ｐの突出部の側面に水平アンカー２、2a…を夫々打ち込み、上記垂直アンカー13、13a …及び水平アンカー２、2a…に、対応する固定リブ８、8a、９、9aを固定したので、補強鋼板３、3a…の上下側及び左右側の少なくともどちらか一方を躯体側に固定することで、コンクリート躯体に補強鋼板３、3a…を一体化することか出来るため、更に補強効果を向上させることが出来る。
更に、補強鋼板３、3a…の上下側に固定リブ８、8aを設け、垂直アンカー13、13a …を躯体側の床スラブＳを貫通させる様に打ち込んで、その上下端部に上下方の固定リブ８、8aを固定したので、上記効果の他に上下方向に隣接する階同志の補強鋼板３、3a…を直接連結することが出来るため、上下階の補強構造１を一体化出来、延いては建物全体としての補強機能の向上を図ることが出来、よって更に完全な地震対策を講じることが出来る等その実用的効果甚だ大である。
【図面の簡単な説明】
【図１】補強されたコンクリート壁の一部断面正面図である。
【図２】図１の水平断面の要部拡大図である。
【図３】図１の垂直断面の要部拡大図である。
【図４】図３の要部拡大図である。
【図５】図３の要部拡大図である。
【図６】補強された、梁及び柱が突出した壁の一部断面正面図である。
【図７】図６の水平断面の要部拡大図である。
【図８】図６の垂直断面の要部拡大図である。
【図９】隣接する補強鋼板同志の連結状態を示す要部拡大断面図である。
【符号の説明】
１          補強構造
２、2a…    水平アンカー
３、3a…    補強鋼板
４          充填層
５          外装層
７、7a…    挿通孔
８、8a      固定リブ
９、9a      固定リブ
10、10a …  補強リブ
11、11a …  ナット
13、13a …  垂直アンカー
20          補強材
Ｂ          梁
Ｐ          柱
Ｓ          床スラブ
Ｗ          コンクリート壁
【図１】
0003770772.tif 000002
【図２】
0003770772.tif 000003
【図３】
0003770772.tif 000004
【図４】
0003770772.tif 000005
【図５】
0003770772.tif 000006
【図６】
0003770772.tif 000007
【図７】
0003770772.tif 000008
【図８】
0003770772.tif 000009
【図９】
0003770772.tif 000010